(57)【要約】【課題】  本発明は上記通気孔および通気管の閉塞を感知し、これらを速やかに開通することによって上記堆積床内への空気送風を改善し好気性発酵菌の活性化を計ることを目的とする。【解決手段】  堆肥舎内に設けた発酵ヤード２の底面３に通気管４を敷設し、該通気管４の一端を発酵ヤード２の一側外に開口し、該開口部４ｂを開閉自在蓋５で閉鎖し、通気管４の上面に複数の通気孔４’を穿設してなり、該通気管４の他端を上記ヤード２の他側外に延長して送風ブロワ６に接続し、上記延長部４”を分岐してこれをエアブラスタ７に接続し、上記延長部４”及び分岐部４ａにそれぞれ逆止弁８，８を介設し、上記通気管４又は延長部４”に圧力センサ９を設けてなる発酵ヤードにおける空気供給装置。【選択図】  図１
2007008760.tif 000002
【特許請求の範囲】
【請求項１】
堆肥舎内に設けた発酵ヤードの底面に通気管を敷設し、該通気管の一端を発酵ヤードの一側外に開口し、該開口部を開閉自在蓋で閉鎖し、
通気管の上面に複数の通気孔を穿設してなり、
該通気管の他端を上記ヤードの他側外に延長して送風ブロワに接続し、
上記延長部を分岐してこれをエアブラスタに接続し、
上記延長部及び分岐部にそれぞれ逆止弁を介設し、
上記通気管又は延長部に圧力センサを設けてなる発酵ヤードにおける空気供給装置。
【請求項２】
発酵ヤードが上記底面に設けた平行区画壁間に設けられ、上記通気管が該区画壁と直交する複数の平行通気管である請求項１記載の発酵ヤードにおける空気供給装置。
【請求項３】
上記エアブラスタに圧力空気タンクを接続し、該タンクに空気圧縮機を接続した請求項１又は２記載の発酵ヤードにおける空気供給装置。
【発明の詳細な説明】
【技術分野】
【０００１】
本発明は有機性廃棄物の好気性発酵菌による発酵ヤードにおいて、堆積発酵床に底部から空気を供給するための装置に関するものである。
【背景技術】
【０００２】
従来、有機性廃棄物の発酵槽又は発酵ヤードの底面に通気管を配設し、底面上の有機性廃棄物堆積床内に通気管で空気を送風し、好気性発酵菌を活性化する装置がある（例えば特許文献１）。
【０００３】
上記通気管の上面には複数の通気孔が穿設され、上部の上記堆積床内に空気を放出するもので、上記堆積床は該床内に混合している焼酎、蒸留粕内の水分との撹拌によって粘性を生じ、これにより上記通気孔を閉塞し、さらに該通気孔を経て上記通気管を充填閉塞し、上記堆積床の発酵を阻害した。
【０００４】
【特許文献１】特開平７−１３３１７７号
【発明の開示】
【発明が解決しようとする課題】
【０００５】
本発明は上記通気孔および通気管の閉塞を感知し、これらを速やかに開通することによって上記堆積床内への空気送風を改善し好気性発酵菌の活性化を計ることを目的とする。
【課題を解決するための手段】
【０００６】
上記目的を達成するため本発明は、
第１に堆肥舎内に設けた発酵ヤードの底面に通気管を敷設し、該通気管の一端を発酵ヤードの一側外に開口し、該開口部を開閉自在蓋で閉鎖し、
通気管の上面に複数の通気孔を穿設してなり、
該通気管の他端を上記ヤードの他側外に延長して送風ブロワに接続し、
上記延長部を分岐してこれをエアブラスタに接続し、
上記延長部及び分岐部にそれぞれ逆止弁を介設し、
上記通気管又は延長部間に圧力センサを設けてなる発酵ヤードにおける空気供給装置、
第２に発酵ヤードが上記底面に設けた平行区画壁間に設けられ、上記通気管が該区画壁と直交する複数の平行通気管である上記第１発明記載の発酵ヤードにおける空気供給装置、
第３に上記エアブラスタに圧力空気タンクを接続し、該タンクに空気圧縮機を接続した上記第１又は第２発明記載の発酵ヤードにおける空気供給装置、
によって構成される。
【０００７】
従って発酵ヤード内に好気性発酵菌を含む有機性廃棄物及び有機性及び有機性廃液の混合堆積物（堆積床）を積層し、
通気管の一端開口部を開閉自在蓋で閉塞し送風ブロワを動作して通気管に送風すると通気孔から上記堆積床中に空気が送られ、堆積床内の孔気性菌を活性化し、上記混合堆積床の発酵及び堆肥化を促進する。
【０００８】
しかし上記堆積床の粘性によって上記通気孔及び通気管が閉塞すると圧力センサがこれを感知し、これに連動する電気信号によって管理人がこれを知ることができ、これを知った管理人は一側外開口部の蓋を開き、その状態でエアブラスタの電磁弁又は３方弁を操作して該ブラスタを開くと、圧縮空気タンク内の高圧圧縮空気が分岐管及び逆止弁を通過して上記通気管内の閉塞物を上記一側外開口部から外気に排出すると同時に通気孔から堆積床内に圧縮空気を放出し、該通気孔を開孔することができる。
【０００９】
その状態において上記ブラスタを閉じ、かつ一側外開口部の蓋を閉じることによって通気管にはブロワから空気が流れ通気孔から堆積床内に空気を送風し平常状態に戻る。
【発明の効果】
【００１０】
本発明は上述のように構成したので発酵ヤードの堆積床によって詰った（閉塞した）通気管や通気孔を一気に開通させることができる。
【発明を実施するための最良の形態】
【００１１】
コンクリート底面３にコンクリート側壁１０’，１０”を互に平行に立設し（間隔約２０ｍ、高さ約２ｍ）し、該側壁１０’，１０”間に間隔約６ｍ毎に平行に区画壁１０，１０，１０を立設して（高さは上記側壁１０’，１０’と同一）、側壁１０’と区画壁１０間又は区画壁１０，１０間に発酵ヤード２を形成する。
【００１２】
上記側壁１０’，１０”上に設立した立柱１２，１２上に水平梁１４を架設し、その上に屋板材１５，１５及び棟１６を支持し、上記立柱１２，１２及び屋根材１５，１５の外面に透光ガラス又は透光膜を張設して透光堆肥舎１を形成する。
【００１３】
上記底面３には上記両側壁１０’，１０”の両外側に亘って複数の通気管４を敷設し、上面に複数の通気孔４’を穿設し送風ブロワ６によって発酵ヤード２に空気ａを送風するようになっている。
【００１４】
通気管４の一端は発酵ヤード２の一方の側壁１０’の外側に開口し、開口部４ｂをねじ式開閉蓋５で閉鎖することにより送風ブロワ６による圧風を通気孔４’から上記ヤード２内の有機性発酵堆積床１３内に空気を送風することができる。
【００１５】
そして発酵ヤード２の他方の外側に延長した通気管４を直立管４”（延長部）と上向屈曲管４ａとに分岐し、両管４”，４ａに逆止弁８，８’を介設して送風の逆流を防止する。
【００１６】
直立管４”（延長部）の上端に上記送風ブロワ６を接続し、該ブロワ６と逆止弁８との間（直立管４”）又は通気管４の水平延長部に圧力センサ９を設け、通気管４内の空気圧を計測し、信号により電光表示することができる。表示された通気管４の通気孔４’及び通気管４の内部が上記堆積床１３によって詰っていることを認識することができる。
【００１７】
他方の側壁１０”の外側に延長した水平分岐管４ａを上方に屈曲して上端にエアブラスタ７が接続され、電磁弁７’を図２に示す位置から図３に示す位置に発条７ａに抗して急開放し圧力空気タンク１１（エアレシーバ）から圧力空気を上向屈曲分岐管４ａ内に強力に放出する。この圧力空気タンク１１（エアレシーバ）は電磁開閉弁１１ｂを介してエアコンプレッサ１１ａに接続されている。
【００１８】
その際、予め当該通気管４の一方の側壁１０’の外側の開口部４ｂから上記開閉蓋５を取り外して該開口部４ｂを開放しておくことにより上記エアブラスタ７による強い圧力空気によって通気管４内に詰っている充填物は開口部４ｂから外気に放出され、詰っている通気孔４’も開放され、その状態で開閉蓋５で開口部４ｂを閉じることにより、さらに上記圧力空気によって通気孔４’は充分開口する。
【００１９】
その後上記エアブラスタ７の電磁弁７’を、電磁コイル７”を励磁して図３に示す状態から図２に示す状態に発条７ａの力によって閉鎖し、通気管４及び通気孔４’の通風を送風ブロワ６に切換え、該通気孔４’から上記堆積床１３内に空気を送風し、孔気性発酵菌による発酵を促進することができる。
【００２０】
上記エアブラスタ７は図４、図５に示すように３方弁７ｂを操作して圧力空気操作弁７ｃを図４の位置から図５の位置に上昇して操作用通気孔７ｄを閉鎖し、主弁７ｅを上昇させることによって圧力空気タンク１１から上向屈曲分岐管４ａ内に圧力空気を強力に放出することができ、３方弁７ｂを逆動作して図４に示すように主弁７ｅにより上向屈曲分岐管４ａを閉塞することができる。
【００２１】
尚図６中１７で示すものは縦走台車、１８は縦走台車１７上の横走台車、１９は横走台車１８に設けた昇降自在撹拌機、２０はその昇降枠である。
【図面の簡単な説明】
【００２２】
【図１】本発明の発酵ヤードにおける空気供給装置を示す正面図である。
【図２】エアブラスタの１例の閉鎖状態縦断説明図である。
【図３】図２の開放状態縦断説明会である。
【図４】エアブラスタの他例の閉鎖状態縦断説明図である。
【図５】図４の開放状態縦断説明図である。
【図６】堆肥舎の正面図である。
【図７】堆肥舎の底部の平面図である。
【図８】従来の空気供給機の正面図である。
【符号の説明】
【００２３】
１    堆肥舎
２    発酵ヤード
３    底面
４    通気管
４’  通気孔
４”  延長部
４ａ  分岐管
４ｂ  開口部
５    開閉自在蓋
６    送風ブロワ
７    エアブラスタ
８    逆止弁
９    圧力センサ
【図１】
2007008760.tif 000003
【図２】
2007008760.tif 000004
【図３】
2007008760.tif 000005
【図４】
2007008760.tif 000006
【図５】
2007008760.tif 000007
【図６】
2007008760.tif 000008
【図７】
2007008760.tif 000009
【図８】
2007008760.tif 000010